(57)【要約】      （修正有）【課題】外気温が低下した場合でも出力の低下を抑制することができる廃熱回収装置を提供する。【解決手段】蒸発器２４と、膨張機２６と、膨張機２６から流出した作動媒体Ｍを冷媒Ｒとの熱交換によって凝縮させる凝縮器２８と、を有するランキンサイクル装置２０と、外気Ａとの熱交換によって冷媒Ｒを冷却する熱交換器５２と、凝縮器２８及び熱交換器５２の間で循環するように冷媒Ｒを流通させる冷媒流路５０と、外気温を検出する外気温検出部６０と、冷媒流路５０において熱交換器５２に供給される冷媒Ｒの流量を低下させる流量低下手段５４と、流量低下手段５４の動作を制御する制御部７０と、を備える。制御部７０は、外気温検出部６０によって検出された外気温が所定の判定温度よりも低い場合、熱交換器５２に供給される冷媒Ｒの流量が減少するように流量低下手段５４を制御する。【選択図】図１
2017110551.tif 000002
【特許請求の範囲】
【請求項１】
作動媒体を蒸発させる蒸発器と、前記蒸発器から流出した前記作動媒体を膨張させることによって動力を回収する膨張機と、前記膨張機から流出した前記作動媒体を冷媒との熱交換によって凝縮させる凝縮器と、を有するランキンサイクル装置と、
外気との熱交換によって前記冷媒を冷却する熱交換器と、
前記凝縮器及び前記熱交換器の間で循環するように前記冷媒を流通させる冷媒流路と、
外気温を検出する外気温検出部と、
前記冷媒流路において前記熱交換器に供給される前記冷媒の流量を低下させる流量低下手段と、
前記流量低下手段の動作を制御する制御部と、を備え、
前記制御部は、
前記外気温検出部で検出された前記外気温が所定の判定温度よりも低い場合、前記熱交換器に供給される前記冷媒の流量が減少するように前記流量低下手段を制御する、廃熱回収装置。
【請求項２】
前記膨張機の入口圧力を検出する入口圧力検出部と、
前記膨張機の出口圧力を検出する出口圧力検出部と、を更に備え、
前記制御部は、
前記外気温検出部で検出された外気温が前記判定温度よりも低い場合、前記出口圧力検出部で検出された前記出口圧力に対する前記入口圧力検出部で検出された前記入口圧力の比が所定の設定値よりも小さくなるまで、前記熱交換器に供給される前記冷媒の流量が減少するように、前記流量低下手段を制御する、請求項１記載の廃熱回収装置。
【請求項３】
前記流量低下手段は、前記冷媒流路において前記冷媒を圧送する冷媒ポンプを含み、
前記制御部は、前記外気温検出部で検出された前記外気温が前記判定温度よりも低い場合、前記ポンプの吐出量を減少させる、請求項１又は２記載の廃熱回収装置。
【請求項４】
前記冷媒流路は、少なくとも前記熱交換器をバイパスするバイパス流路を有し、
前記流量低下手段は、前記バイパス流路を流れる前記冷媒の流量を調整するバイパスバルブを含み、
前記制御部は、前記外気温検出部で検出された前記外気温が前記判定温度よりも低い場合、前記バイパス流路を流れる前記冷媒の流量が増加するように前記バイパスバルブの開度を変更する、請求項１又は２記載の廃熱回収装置。
【発明の詳細な説明】
【技術分野】
【０００１】
本発明は、廃熱回収装置に関し、特にランキンサイクル装置を備える廃熱回収装置に関する。
【背景技術】
【０００２】
ランキンサイクル装置を備える廃熱回収装置として、例えば特許文献１に記載された廃熱回収装置が知られている。特許文献１に記載された廃熱回収装置では、ランキンサイクル装置は、例えばエンジンの冷却水等（高温側熱源）によって作動媒体を蒸発させる蒸発器と、蒸発器から流出した作動媒体の膨張によって動力を回収する膨張機と、膨張機から流出した作動媒体を外気（低温側熱源）との熱交換によって凝縮させる凝縮器と、を備えている。
【先行技術文献】
【特許文献】
【０００３】
【特許文献１】特開２０１４−２３８００７号公報
【発明の概要】
【発明が解決しようとする課題】
【０００４】
上記のような廃熱回収装置においては、蒸発器での作動媒体の温度が高くなるほど、膨張機の入口における作動媒体の圧力（入口圧力）が大きくなる。また、凝縮器での作動媒体の温度が低くなるほど、膨張機の出口における作動媒体の圧力（出口圧力）が小さくなる。したがって、高温側熱源と低温側熱源の間の温度差が大きいほど、膨張機の出口圧力に対する入口圧力の比（膨張比）を大きくすることができ、サイクル効率の向上、及び出力（回収される動力）の増加を図ることができるとも考えられる。しかしながら、例えば極寒の環境下で廃熱回収装置が用いられた場合、外気温が極端に低下し、膨張比が大きくなり過ぎてしまい、膨張機の断熱効率が低下するおそれがある。この場合、膨張比が大きくなったことによるサイクル効率の向上の影響よりも、断熱効率の低下の影響の方が大きくなり、結果として出力が低下してしまうおそれがある。
【０００５】
本発明は、外気温が低下した場合でも出力の低下を抑制することができる廃熱回収装置を提供することを目的とする。
【課題を解決するための手段】
【０００６】
本発明に係る廃熱回収装置は、作動媒体を蒸発させる蒸発器と、蒸発器から流出した作動媒体を膨張させることによって動力を回収する膨張機と、膨張機から流出した作動媒体を冷媒との熱交換によって凝縮させる凝縮器と、を有するランキンサイクル装置と、外気との熱交換によって冷媒を冷却する熱交換器と、凝縮器及び熱交換器の間で循環するように冷媒を流通させる冷媒流路と、外気温を検出する外気温検出部と、冷媒流路において熱交換器に供給される冷媒の流量を低下させる流量低下手段と、流量低下手段の動作を制御する制御部と、を備え、制御部は、外気温検出部で検出された外気温が所定の判定温度よりも低い場合、熱交換器に供給される冷媒の流量が減少するように流量低下手段を制御する。
【０００７】
この廃熱回収装置では、外気温が判定温度よりも低下した場合、冷媒流路において熱交換器に供給される冷媒の流量が減少する。これにより、冷媒の冷却を抑制し、凝縮器での作動媒体の冷却を抑制することができる。その結果、膨張機の出口圧力を上昇させて、断熱効率の低下の影響が大きくならない適正範囲まで膨張機の膨張比を小さくすることが可能となる。したがって、この廃熱回収装置によれば、外気温が低下した場合でも出力の低下を抑制することが可能となる。
【０００８】
また、本発明に係る廃熱回収装置は、膨張機の入口圧力を検出する入口圧力検出部と、膨張機の出口圧力を検出する出口圧力検出部と、を更に備え、制御部は、外気温検出部で検出された外気温が判定温度よりも低い場合、出口圧力検出部で検出された出口圧力に対する、入口圧力検出部で検出された入口圧力の比が所定の設定値よりも小さくなるまで、熱交換器に供給される冷媒の流量が減少するように、流量低下手段を制御してもよい。この廃熱回収装置では、外気温が判定温度よりも低下した場合、膨張機の膨張比が所定の設定値よりも小さくなるまで熱交換器に供給される冷媒の流量を減少させ、断熱効率の低下の影響が大きくならない適正範囲まで膨張機の膨張比を確実に小さくすることができる。したがって、外気温が低下した場合でも出力の低下を確実に抑制することが可能となる。
【０００９】
また、本発明に係る廃熱回収装置では、流量低下手段は、冷媒流路において冷媒を圧送する冷媒ポンプを含み、制御部は、外気温検出部で検出された外気温が判定温度よりも低い場合、冷媒ポンプの吐出量を減少させてもよい。この廃熱回収装置によれば、外気温が判定温度よりも低下した場合、冷媒ポンプの吐出量を減少させることで、熱交換器に供給される冷媒の流量を減少させ、冷媒の冷却を抑制し、凝縮器での作動媒体の冷却を抑制することができる。
【００１０】
また、本発明に係る廃熱回収装置では、冷媒流路は、少なくとも熱交換器をバイパスするバイパス流路を有し、流量低下手段は、バイパス流路を流れる冷媒の流量を調整するバイパスバルブを含み、制御部は、外気温検出部で検出された外気温が判定温度よりも低い場合、バイパス流路を流れる冷媒の流量が増加するようにバイパスバルブの開度を変更してもよい。この廃熱回収装置によれば、外気温が判定温度よりも低下した場合、バイパス流路を流れる冷媒の流量を増加させることで、熱交換器に供給される冷媒の流量を減少させ、冷媒の冷却を抑制し、凝縮器での作動媒体の冷却を抑制することができる。
【発明の効果】
【００１１】
本発明によれば、外気温が低下した場合でも出力の低下を抑制することができる廃熱回収装置を提供することができる。
【図面の簡単な説明】
【００１２】
【図１】実施形態に係る廃熱回収装置の概略構成図である。
【図２】膨張機における膨張比と断熱効率の関係を表す模式的なグラフである。
【図３】図１の廃熱回収装置における通常モードの処理を示すフローチャートである。
【図４】図１の廃熱回収装置における抑制制御モードの処理を示すフローチャートである。
【図５】第１変形例に係る廃熱回収装置の概略構成図である。
【図６】第２変形例に係る廃熱回収装置の概略構成図である。
【発明を実施するための形態】
【００１３】
以下、本発明に係る実施形態について、図面を参照しつつ詳細に説明する。なお、以下の説明において、同一又は相当要素には同一符号を用い、重複する説明は省略する。
【００１４】
図１は、実施形態に係る廃熱回収装置１の概略構成図である。図１に示されるように、廃熱回収装置１は、エンジン１０を備える車両に搭載される。適用される車両は、例えばトラック及びバス等の商用車であり、大型車両、中型車両、普通乗用車、小型車両、若しくは軽車両等であってもよい。エンジン１０は、車両の駆動用のエンジンであり、例えばディーゼルエンジン又はガソリンエンジン等である。
【００１５】
廃熱回収装置１は、ランキンサイクル装置２０を備えている。ランキンサイクル装置２０は、作動媒体流路３０上に、作動媒体ポンプ２２、蒸発器２４、膨張機２６、及び凝縮器２８を有している。作動媒体流路３０は、作動媒体ポンプ２２、蒸発器２４、膨張機２６、及び凝縮器２８の間で循環するように作動媒体Ｍを流通させる。作動媒体Ｍとしては、種々のものが用いられてよく、この例では、低沸点媒体である代替フロンが用いられている。
【００１６】
作動媒体ポンプ２２は、作動媒体Ｍを圧縮して送出（圧送）し、作動媒体流路３０内において循環させる。蒸発器２４は、作動媒体流路３０において作動媒体ポンプ２２の下流側に設けられている。この例では、蒸発器２４は、エンジン１０の冷却水Ｃを加熱用の熱源として用いる熱交換器であり、冷却水Ｃとの熱交換によって作動媒体Ｍを加熱して蒸発させる。冷却水Ｃは、後述する冷却水流路４０を介して蒸発器２４に供給される。
【００１７】
膨張機２６は、作動媒体流路３０において蒸発器２４の下流側に設けられている。膨張機２６は、蒸発器２４から流出した作動媒体Ｍを膨張させることによって動力を回収する。ここでの膨張機２６は、タービンであり、蒸発器２４で蒸発した作動媒体Ｍを膨張させつつ回転し、運動エネルギを動力として回収する。回収された運動エネルギは、機械出力として出力されてもよく、又は発電機によって変換されて電気出力として出力されてもよい。
【００１８】
作動媒体流路３０における膨張機２６の上流側で且つ蒸発器２４の下流側には、膨張機２６の入口における作動媒体Ｍの圧力（入口圧力）を検出する入口圧力検出部３２が設けられている。また、作動媒体流路３０における膨張機２６の下流側で且つ凝縮器２８の上流側には、膨張機２６の出口における作動媒体Ｍの圧力（出口圧力）を検出する出口圧力検出部３４が設けられている。入口圧力検出部３２及び出口圧力検出部３４は、例えば、液体及び気体の圧力を計測することができる圧力センサによって構成されている。
【００１９】
凝縮器２８は、作動媒体流路３０において膨張機２６の下流側に設けられている。凝縮器２８は、外気Ａを冷却用の熱源として用い、膨張機２６から流出した気相の作動媒体Ｍを冷却して凝縮させる。凝縮器２８は、冷媒Ｒとの熱交換によって作動媒体Ｍを冷却する。冷媒Ｒは、外気Ａを用いて冷却され、後述する冷媒流路５０を介して凝縮器２８に供給される。外気Ａとしては、例えば車両が走行する際の走行風が利用される。
【００２０】
廃熱回収装置１は、エンジン１０及び蒸発器２４の間で循環するように冷却水Ｃを流通させる冷却水流路４０を更に備えている。冷却水流路４０における蒸発器２４の下流側には、ラジエータ４２が設けられている。ラジエータ４２は、例えば車両が走行する際の走行風（外気）によって冷却水Ｃを冷却する。この冷却水流路４０は、ラジエータ４２をバイパスするバイパス流路４４を有している。バイパス流路４４には、バイパス流路４４を流れる冷却水Ｃの流量を調整するバイパスバルブ４６が設けられている。バイパスバルブ４６は、例えば電磁弁又は電動弁等である。
【００２１】
また、廃熱回収装置１は、冷媒流路５０上に、サブラジエータ（熱交換器）５２及び冷媒ポンプ５４を更に備えている。冷媒流路５０は、凝縮器２８、サブラジエータ５２、及び冷媒ポンプ５４の間で循環するように冷媒Ｒを流通させる。サブラジエータ５２は、外気Ａとの熱交換によって冷媒Ｒを冷却する。
【００２２】
冷媒ポンプ５４は、冷媒Ｒを圧送して冷媒流路５０内にて循環させる。冷媒ポンプ５４の動作は、後述する制御部７０によって制御される。冷媒ポンプ５４の吐出量が減少した場合、冷媒流路５０においてサブラジエータ５２に供給される冷媒Ｒの流量が減少する。すなわち、冷媒ポンプ５４は、冷媒流路５０においてサブラジエータ５２に供給される冷媒Ｒの流量を減少させる流量低下手段を構成している。また、冷媒流路５０上には、冷媒Ｒの水温を検出する水温計５５が設けられている。なお、本明細書において、「流量」とは、体積流量であってもよいし、質量流量であってもよい。
【００２３】
廃熱回収装置１は、外気Ａの温度（外気温）を検出する外気温検出部６０を更に備えている。外気温検出部６０は、例えば、外気温を計測可能な温度センサによって構成されている。外気温検出部６０は、外気温を検出可能な位置に設けられていればよく、例えばサブラジエータ５２の吸気口の近傍等に設けられている。
【００２４】
廃熱回収装置１は、少なくとも入口圧力検出部３２、出口圧力検出部３４、冷媒ポンプ５４、水温計５５、及び外気温検出部６０に対して電気的に接続された制御部７０を更に備えている。制御部７０は、後述する図２，３のフローチャートに示される処理を実行する。制御部７０は、例えば、ＣＰＵ（Central Processing Unit）、ＲＯＭ（Read Only Memory）、及びＲＡＭ（Random Access Memory）等を含むコンピュータにより構成されている。制御部７０は、上記以外の要素に対して更に電気的に接続されていてもよい。
【００２５】
次に、外気温の低下が廃熱回収装置１に与え得る影響について説明する。図２は、膨張機２６における出口圧力に対する入口圧力の比（膨張比）と断熱効率の関係を表す模式的なグラフである。廃熱回収装置１においては、蒸発器２４での作動媒体Ｍの温度が高くなるほど、膨張機２６の入口圧力が大きくなる。また、凝縮器２８での作動媒体Ｍの温度が低くなるほど、膨張機２６の出口圧力が小さくなる。したがって、外気温が低下し、冷却水Ｃ（高温側熱源）と外気Ａ（低温側熱源）の間の温度差が大きくなるほど、膨張機２６の膨張比を大きくすることができ、サイクル効率の向上、及び出力（回収される動力）の増加を図ることができるとも考えられる。
【００２６】
しかしながら、一般的に、真夏から寒冷地の真冬のような極寒の環境下までの外気温範囲（例えば、−２０℃〜３０℃）すべてに対応する膨張比の範囲にて、断熱効率が高くなるように膨張機２６を設計することは難しい。このため、図２に示されるように、膨張機２６には、断熱効率を比較的高く保つことができる膨張比の範囲（適正範囲）Ｐが存在する。すなわち、高温側熱源と低温側熱源との温度差が小さく、膨張比が適正範囲Ｐを超えて小さくなった場合、不足膨張により断熱効率が低下する。一方、高温側熱源と低温側熱源との温度差が大きく、膨張比が適正範囲Ｐを超えて大きくなった場合、過膨張により断熱効率が低下する。
【００２７】
したがって、一般的な廃熱回収装置を極寒の環境下で用いる場合、外気温が極端に低下し、膨張機２６の膨張比が適正範囲Ｐを超えて大きくなることで、膨張機２６の断熱効率が低下するおそれがある。この場合、膨張比が大きくなったことによるサイクル効率の向上の影響よりも、断熱効率の低下の影響の方が大きくなり、結果として出力が低下してしまうおそれがある。
【００２８】
これに対し、本実施形態の廃熱回収装置１は、以下に説明する処理を行うことで、外気温が低下した場合でも、高断熱効率を保てる適正な適正範囲Ｐまで膨張機２６の膨張比を小さくすることができるように構成されている。以下では、廃熱回収装置１による処理を説明する。図３，４は、廃熱回収装置１による各処理を示すフローチャートである。これらの処理は、制御部７０によって行われる。初期状態においては、制御モードは通常モードとなっている。
【００２９】
図３に示されるように、まず、エンジン１０の回転数が所定の閾値よりも大きいか否かを判定する（Ｓ１１）。この閾値は、例えば５００ｍｉｎ−１に設定されている。エンジン１０の回転数が当該閾値よりも大きい場合（Ｓ１１でＹＥＳ）にはステップＳ１２に進み、エンジン１０の回転数が当該閾値以下である場合（Ｓ１１でＮＯ）にはステップＳ１４に進む。
【００３０】
ステップＳ１２では、外気温検出部６０で検出された外気温が所定の判定温度よりも低いか否かを判定する。外気温が判定温度よりも低い場合（Ｓ１２でＹＥＳ）にはステップＳ１３に進み、外気温が判定温度以上である場合（Ｓ１２でＮＯ）にはステップＳ１４に進む。
【００３１】
ステップＳ１３では、制御モードを抑制制御モードに切り替え、通常モードを終了する。抑制制御モードでは、後述するように、サブラジエータ５２に供給される冷媒Ｒの流量を減少させるための処理が行われる。すなわち、ステップＳ１２における判定温度は、サブラジエータ５２に供給される冷媒Ｒの流量を減少させるための処理を開始するか否かを適切に判定するために、予め設定された値である。判定温度は、実験、過去の実績及び経験、並びにシミュレーション等に基づいて定められてよく、例えば−５℃に設定されている。なお、判定温度は、固定の値であってもよいし、変動する値であってもよい。
【００３２】
ステップＳ１４では、冷媒ポンプ５４の吐出量を所定の最大吐出量に設定する。その後、ステップＳ１１に戻り、通常モードの各処理を再度実行する。
【００３３】
図４に示されるように、抑制制御モードでは、まず、水温計５５で検出された冷媒Ｒの水温が所定の最大許容温度よりも小さいか否かを判定する（Ｓ２１）。冷媒Ｒの水温が最大許容温度以上である場合（Ｓ２１でＮＯ）には、冷媒Ｒの水温をこれ以上上げることができないと判断し、ステップＳ２２に進む。一方、冷媒Ｒの水温が最大許容温度よりも小さい場合（Ｓ２１でＹＥＳ）には、ステップＳ２３に進む。この最大許容温度は、下記の第１廃熱回収抑制処理を実行して抑制制御モードを終了するか否かを適切に判定するための値であり、例えば０℃に設定されている。
【００３４】
ステップＳ２２では、第１廃熱回収抑制処理を実行する。例えば、作動媒体ポンプ２２の作動を停止させる、又は作動媒体ポンプ２２の吐出量を減少させる。これにより、廃熱回収装置１による廃熱回収が抑制される。これに代えてもしくは加えて、例えば、サブラジエータ５２の故障又は機能低下の有無の確認を促す通知を、通信部（図示せず）を介して管理者端末へ出力してもよい。第１廃熱回収抑制処理の実行後、制御モードを通常モードに切り替え（Ｓ２８）、抑制制御モードを終了する。
【００３５】
ステップＳ２３では、冷媒ポンプ５４の吐出量が所定の最小吐出量よりも大きいか否かを判定する。冷媒ポンプ５４の吐出量が最小吐出量以下である場合（Ｓ２３でＮＯ）には、冷媒ポンプ５４の吐出量をこれ以上低下させることができないと判断し、ステップＳ２４に進む。一方、冷媒ポンプ５４の吐出量が最小吐出量よりも大きい場合（Ｓ２３でＹＥＳ）にはステップＳ２５に進む。この最小吐出量は、下記の第２廃熱回収抑制処理を実行して抑制制御モードを終了するか否かを適切に判定するための値であり、例えば０℃に設定されている。
【００３６】
ステップＳ２４では、制御部７０は、第２廃熱回収抑制処理を実行する。例えば、制御部７０は、作動媒体ポンプ２２の作動を停止させる、又は作動媒体ポンプ２２の吐出量を減少させる。これにより、廃熱回収装置１による廃熱回収が抑制される。これに代えてもしくは加えて、例えば、冷媒ポンプ５４の故障又は機能低下の有無の確認を促す通知を、通信部を介して管理者端末へ出力してもよい。第２廃熱回収抑制処理の実行後、制御部７０は、制御モードを通常モードに切り替え（Ｓ２８）、抑制制御モードを終了する。
【００３７】
ステップＳ２５では、制御部７０は、冷媒ポンプ５４の吐出量を低下させる。例えば、冷媒ポンプ５４の吐出量を所定値（例えば、１０Ｌ／ｍｉｎ）だけ低下させる。これにより、冷媒流路５０においてサブラジエータ５２に供給される冷媒Ｒの流量が減少し、冷媒Ｒの冷却が抑制され、凝縮器２８での作動媒体Ｍの冷却が抑制される。また、このとき、冷媒流路５０において凝縮器２８に供給される冷媒Ｒの流量が減少し、このことによっても、凝縮器２８での作動媒体Ｍの冷却が抑制される。このように凝縮器２８での作動媒体Ｍの冷却が抑制されることで、膨張機２６の出口圧力が低下し、膨張機２６の膨張比が低下する。
【００３８】
次いで、制御部７０は、入口圧力検出部３２で検出された入口圧力、及び出口圧力検出部３４で検出された出口圧力から膨張機２６の膨張比を算出する（Ｓ２６）。次いで、算出した膨張比が所定の設定値よりも大きいか否かを判定する（Ｓ２７）。膨張比が当該設定値よりも大きい場合には、抑制制御モードの各処理を再度実行する。一方、膨張比が当該設定値以下である場合には、制御モードを通常モードに切り替え（Ｓ２８）、抑制制御モードを終了する。ステップＳ２７における設定値は、断熱効率の低下の影響が大きくならない適正範囲Ｐまで膨張比が低下したか否かを適切に判定するために、予め設定された値である。この設定値は、実験、過去の実績及び経験、並びにシミュレーション等に基づいて定められてよく、例えば１０に設定されている。なお、この設定値は、固定の値であってもよいし、変動する値であってもよい。
【００３９】
以上、廃熱回収装置１では、外気温が判定温度よりも低下した場合、冷媒流路５０においてサブラジエータ５２に供給される冷媒Ｒの流量が減少する。これにより、冷媒Ｒの冷却を抑制し、凝縮器２８での作動媒体Ｍの冷却を抑制することができる。その結果、膨張機２６の出口圧力を上昇させて、断熱効率の低下の影響が大きくならない適正範囲Ｐまで膨張機２６の膨張比を小さくすることが可能となる。したがって、この廃熱回収装置１によれば、外気温が低下した場合でも出力の低下を抑制することが可能となる。
【００４０】
また、廃熱回収装置１では、外気温が判定温度よりも低下した場合、膨張機２６の膨張比が所定の設定値よりも小さくなるまでサブラジエータ５２に供給される冷媒Ｒの流量を減少させ、断熱効率の低下の影響が大きくならない適正範囲Ｐまで膨張機２６の膨張比を確実に小さくすることができる。したがって、この廃熱回収装置１によれば、外気温が低下した場合でも出力の低下を確実に抑制することが可能となる。
【００４１】
また、廃熱回収装置１によれば、外気温が判定温度よりも低下した場合、冷媒ポンプ５４の吐出量を減少させることで、サブラジエータ５２に供給される冷媒Ｒの流量を減少させ、冷媒Ｒの冷却を抑制し、凝縮器２８での作動媒体Ｍの冷却を抑制することができる。
【００４２】
以上、本発明の好適な実施形態について説明したが、本発明は、上記実施形態に限られるものではなく、各請求項に記載した要旨を変更しない範囲で変形し、又は他のものに適用してもよい。
【００４３】
例えば、図５に示される第１変形例に係る廃熱回収装置１Ｂのように、冷媒流路５０が、凝縮器２８及びサブラジエータ５２をバイパスするバイパス流路５６を有していてもよい。バイパス流路５６は、冷媒ポンプ５４の吐出側から吸込側へ冷媒Ｒを戻すリサーキュレーション配管により構成される。バイパス流路５６には、バイパス流路５６を流れる冷媒Ｒの流量を調整するバイパスバルブ５７が設けられている。バイパスバルブ５７は、例えば電磁弁又は電動弁等であり、制御部７０から入力される制御信号に従って開度を変更することで、バイパス流路５６を流れる冷媒Ｒの流量を調整する。バイパスバルブ５７の開度が増加するほど、バイパス流路５６を流れる冷媒Ｒの流量が増加し、サブラジエータ５２に流入する冷媒Ｒの流量が減少する。すなわち、バイパスバルブ５７は、冷媒流路５０においてサブラジエータ５２に供給される冷媒Ｒの流量を減少させる流量低下手段を構成している。
【００４４】
廃熱回収装置１Ｂを用いる場合、制御部７０は、上記ステップＳ２５において、冷媒ポンプ５４の吐出量を低下させる代わりに、バイパス流路５６を流れる冷媒Ｒの流量が増加するようにバイパスバルブ５７の開度を変更すればよい。これにより、サブラジエータ５２に供給される冷媒Ｒの流量が減少する。したがって、廃熱回収装置１Ｂによれば、外気温が判定温度よりも低下した場合、バイパス流路を流れる冷媒Ｒの流量を増加させることで、サブラジエータ５２に供給される冷媒Ｒの流量を減少させ、冷媒Ｒの冷却を抑制し、凝縮器２８での作動媒体Ｍの冷却を抑制することができる。また、このとき、冷媒流路５０において凝縮器２８に供給される冷媒Ｒの流量が減少し、このことによっても、凝縮器２８での作動媒体Ｍの冷却が抑制される。また、廃熱回収装置１Ｂによれば、上記実施形態に係る廃熱回収装置１と比較して、冷媒ポンプ５４の吐出量が常に一定となることから、冷媒ポンプ５４の形式又は仕様によっては、冷媒ポンプ５４の効率を向上することができ、消費電力を低減することができる。また、冷媒ポンプ５４の吐出量が常に一定となることから、冷媒ポンプ５４に負荷をかけずに流量を調節することができる。
【００４５】
なお、廃熱回収装置１Ｂを用いる場合、上記ステップＳ１４において、冷媒ポンプ５４の吐出量を最大吐出量に設定する代わりに、バイパスバルブ５７の開度を所定の最小開度に設定すればよい。また、上記ステップＳ２３において、冷媒ポンプ５４の吐出量が最小吐出量よりも大きいか否かを判定する代わりに、バイパスバルブ５７の開度が所定の最大開度よりも小さいか否かを判定すればよい。また、上記第２排熱回収抑制処理において、冷媒ポンプ５４の故障又は機能低下の有無の確認を促す通知を出力する代わりに、例えばバイパスバルブ５７の故障又は機能低下の有無の確認を促す通知を出力すればよい。
【００４６】
また、図６に示される第２変形例に係る廃熱回収装置１Ｃのように、上記バイパス流路５６に代えて、サブラジエータ５２のみをバイパスするバイパス流路５８を有していてもよい。バイパス流路５８には、バイパスバルブ５７と同様に構成されたバイパスバルブ５９が設けられている。その他の点については上記廃熱回収装置１Ｂと同様であるので記載を省略する。
【００４７】
廃熱回収装置１Ｃによっても、外気温が判定温度よりも低下した場合、バイパスバルブ５９によってバイパス流路を流れる冷媒Ｒの流量を増加させ、サブラジエータ５２に供給される冷媒Ｒの流量を減少させることで、冷媒Ｒの冷却を抑制し、凝縮器２８での作動媒体Ｍの冷却を抑制することができる。また、廃熱回収装置１Ｃによれば、上記実施形態に係る廃熱回収装置１と比較して、冷媒ポンプ５４の吐出量が常に一定となることから、冷媒ポンプ５４の形式又は仕様によっては、冷媒ポンプ５４の効率を向上することができ、消費電力を低減することができる。また、冷媒ポンプ５４の吐出量が常に一定となることから、冷媒ポンプ５４に負荷をかけずに流量を調節することができる。
【００４８】
さらに、上記実施形態では、外気温が判定温度よりも低下した場合、膨張機２６の膨張比が設定値よりも小さくなるまでサブラジエータ５２に供給される冷媒Ｒの流量が減少するように、流量低下手段を制御したが、これに限定されない。膨張比が実際に適正範囲Ｐまで低下したか否を判定することなく、流量低下手段を制御してもよい。要は、外気温検出部６０で検出された外気温が判定温度よりも低い場合に、サブラジエータ５２に供給される冷媒Ｒの流量が低下すればよい。
【００４９】
また、上記実施形態では、蒸発器２４においてエンジン１０の冷却水Ｃを加熱用の熱源として用いたが、加熱用の熱源はこれに限定されない。例えば、蒸発器２４は、エンジン１０の排気ガス等を加熱用の熱源として用いるものであってもよい。
【符号の説明】
【００５０】
１，１Ｂ，１Ｃ…廃熱回収装置、１０…エンジン、２０…ランキンサイクル装置、２４…蒸発器、２６…膨張機、２８…凝縮器、３２…入口圧力検出部、３４…出口圧力検出部、４０…冷却水流路、４２…ラジエータ、４４…バイパス流路、４６…バイパスバルブ、５０…冷媒流路、５２…サブラジエータ（熱交換器）、５４…冷媒ポンプ、５５…水温計、５６，５８…バイパス流路、５７，５９…バイパスバルブ、６０…外気温検出部、７０…制御部、Ａ…外気、Ｃ…冷却水、Ｍ…作動媒体、Ｒ…冷媒。
【図１】
2017110551.tif 000003
【図２】
2017110551.tif 000004
【図３】
2017110551.tif 000005
【図４】
2017110551.tif 000006
【図５】
2017110551.tif 000007
【図６】
2017110551.tif 000008